(57)【要約】【課題】結束部に近い位置にある電線も含め、各電線に過大な応力が加わることを避けることが可能なワイヤカバーおよびコネクタを提供すること。【解決手段】ワイヤカバー３は、コネクタ１に備わる複数の電線２を覆うカバー本体３１と、複数の電線２を結束して電線束２０をなす結束部３５とを備える。カバー本体３１には、複数の電線２のうちの一部の電線２１にのみ干渉することにより、電線２１を撓ませる干渉突起３６が備わっている。【選択図】図３
2018190638.tif 000002
【特許請求の範囲】
【請求項１】
コネクタに備わる複数の電線を覆うカバー部と、
前記複数の電線を結束して電線束をなす結束部と、を備え、
前記カバー部には、前記複数の電線のうちの一部の前記電線にのみ干渉する干渉突起が備わる、
ことを特徴とするワイヤカバー。
【請求項２】
前記コネクタのハウジングにおける前記電線の引出し位置から前記結束部の内側までの距離が、他の前記電線に関する前記距離よりも短い前記電線のことを短電線と言うとき、
前記干渉突起は、前記短電線に干渉して撓ませる、
請求項１に記載のワイヤカバー。
【請求項３】
前記電線と接触する前記結束部の内周部の形状を含むように仮想の円を設定すると、
前記円を投影した範囲内に、前記干渉突起の一部が含まれる、
請求項１または２に記載のワイヤカバー。
【請求項４】
前記カバー部は、
前記結束部を有し、前記複数の電線を覆うカバー本体と、
前記カバー本体の側方に位置する開口を塞ぐ蓋と、を備える、
請求項１から３のいずれか一項に記載のワイヤカバー。
【請求項５】
前記干渉突起は、前記蓋に備わる、
請求項４に記載のワイヤカバー。
【請求項６】
前記干渉突起は、前記結束部の近傍に位置する、
請求項１から５のいずれか一項に記載のワイヤカバー。
【請求項７】
前記干渉突起の先端部は、干渉する前記電線に向けて次第に突出するように曲面状に形成されている、
請求項１から６のいずれか一項に記載のワイヤカバー。
【請求項８】
複数のコンタクトと、
前記複数のコンタクトを保持する保持ハウジングと、
前記複数のコンタクトに個別に対応する複数の電線と、
前記複数の電線を覆う請求項１から７のいずれか一項に記載のワイヤカバーと、を備える、
ことを特徴とするコネクタ。
【発明の詳細な説明】
【技術分野】
【０００１】
本発明は、電気コネクタに備えられた電線を覆うワイヤカバー、およびワイヤカバーを備えた電気コネクタに関する。
【背景技術】
【０００２】
多極の雌コネクタに備わる複数の電線を収容し、所定の配索方向に電線を引き揃えるワイヤカバーが使用されている（特許文献１）。配索方向に沿って電線が引き出されるワイヤカバーの一端には、複数の電線を結束する結束部が形成されている。電線の束の片側を支持する結束部と、結束部から露出した電線束の部分とに亘り、結束用のバンドが装着される。
特許文献１では、電線の配索方向が、コネクタの挿抜方向と直交する方向に設定されている。ワイヤカバーの本体から配索方向に突出した結束部に向けて、コネクタハウジングの電線挿通孔からワイヤカバーの内側に延びている電線のいずれも、湾曲した状態に撓む。
【０００３】
図６は、ハウジング７に形成された電線挿通孔７１から、ワイヤカバー８の内側を延びる多数の電線のうちの一部の電線８１，８２のみを示している。結束部８Ａに最も近い電線８１と、結束部８Ａから最も遠い電線８２とを含めた複数の電線のいずれも、特許文献１と同様に、結束部８Ａに向けて湾曲した状態に撓む。
各電線は、ハウジング７や防水用のシール部材により拘束されるとともに、結束部８Ａにおいて拘束される。
【先行技術文献】
【特許文献】
【０００４】
【特許文献１】特開２０１２−１３８２０６号公報
【発明の概要】
【発明が解決しようとする課題】
【０００５】
コネクタの設置および配線の作業時や、設置されているコネクタに振動が加えられた際に、ワイヤカバーの内側を延びる電線が振れたり、引っ張られる向きに外力が加えられたりすることがある。その際に、特許文献１および図６に示すように、電線挿通孔７１から結束部８Ａまでの間で各電線が撓んでいれば、電線挿通孔７１から結束部８Ａまでの直線距離に対して電線が延びている長さに余裕がある。そのため、電線挿通孔７１から結束部８Ａまでの拘束されていない区間の電線の変位により電線の引っ張られる向きへの変位や電線の振れを吸収できるため、各電線に過大な応力が掛かるのを避けることができる。
【０００６】
しかしながら、特許文献１および図６のように電線の配索方向Ｄ４がコネクタの挿抜方向Ｄ１と直交する方向に設定されていると、結束部８Ａが、コネクタハウジング７の外周部よりも外側に位置するため、その分、コネクタおよびワイヤカバーを含めた全体のサイズが大きくなる。
【０００７】
コネクタを設置するためのスペースを十分に確保できない場合は、結束部の向きを変えることで、電線の配索方向をコネクタの挿抜方向にほぼ沿うように設定するとよい。
ところが、その配索方向によれば、ワイヤカバーの内側で、結束部に向けて十分に撓んでいる電線ばかりでなく、結束部の近くで、電線挿通孔から結束部の内側まで直線的に延びている電線が存在する。
【０００８】
本発明は、いずれの電線にも過大な応力が加わることを避けることができるワイヤカバー、およびそれを備えたコネクタを提供することを目的とする。
【課題を解決するための手段】
【０００９】
本発明のワイヤカバーは、コネクタに備わる複数の電線を覆うカバー部と、複数の電線を結束して電線束をなす結束部と、を備え、カバー部には、複数の電線のうちの一部の電線にのみ干渉する干渉突起が備わることを特徴とする。
【００１０】
本発明において、コネクタのハウジングにおける電線の引出し位置から結束部の内側までの距離が、他の電線に関する距離よりも短い電線のことを短電線と言うとき、干渉突起は、短電線に干渉して撓ませるものであることが好ましい。
【００１１】
本発明において、電線と接触する結束部の内周部の形状を含むように仮想の円を設定すると、円を投影した範囲内に、干渉突起の一部が含まれることが好ましい。
【００１２】
本発明のワイヤカバーにおいて、カバー部は、結束部を有し、複数の電線を覆うカバー本体と、カバー本体の側方に位置する開口を塞ぐ蓋と、を備えることが好ましい。
【００１３】
本発明のワイヤカバーにおいて、干渉突起は、蓋に備わることが好ましい。
【００１４】
本発明のワイヤカバーにおいて、干渉突起は、結束部の近傍に位置することが好ましい。
【００１５】
本発明のワイヤカバーにおいて、干渉突起の先端部は、干渉する電線に向けて次第に突出するように曲面状に形成されていることが好ましい。
【００１６】
本発明のコネクタは、複数のコンタクトと、複数のコンタクトを保持する保持ハウジングと、複数のコンタクトに個別に対応する複数の電線と、複数の電線を覆う上述のワイヤカバーと、を備えることを特徴とする。
【発明の効果】
【００１７】
本発明によれば、ワイヤカバーに備えられた干渉突起により、ハウジングにおける引出し位置から結束部の内側までの距離が他の電線と比べて短い電線に干渉して、その電線を撓ませることができる。そうすると、ハウジングから電線が引き出されている位置によらず、ワイヤカバーにより覆われる電線のいずれも、ハウジングからの引出し位置と結束部との間で撓ませることができる。ハウジングや結束部等に拘束されないでワイヤカバーの内側を延びる電線が撓んでいると、電線の変位により、電線の引っ張られる向きへの変位を吸収でき、電線の振れを抑止することもできる。したがって、振動時や配線作業時に外力が加えられても電線に過大な応力が作用することを避けることができるので、電線の断線を防ぐことができる。
【図面の簡単な説明】
【００１８】
【図１】本発明の実施形態に係るワイヤカバーおよびそれを備えたコネクタを示す斜視図である。
【図２】（ａ）は、図１に示すワイヤカバーの平面図である。（ｂ）は、（ａ）のIIb矢印の方向から示すワイヤカバーの側面図である。
【図３】図２（ａ）のIII−III線断面図である。
【図４】ワイヤカバーの分解斜視図である。
【図５】図２（ｂ）のV矢印方向からワイヤカバーの結束部を示す図である。
【図６】従来のワイヤカバーおよび電線の状態を示す図である。
【発明を実施するための形態】
【００１９】
以下、添付図面を参照しながら、本発明の実施形態について説明する。
図１〜図３に示すコネクタ１は、複数の電線２（図３）を備えた多極の雌コネクタである。コネクタ１は、図示しない相手コネクタ（雄コネクタ）と挿抜方向Ｄ１に沿って嵌合される。
【００２０】
コネクタ１は、複数の電線２（図３）と、それらの電線２に個別に対応する複数のコンタクト１１（図３）と、複数の電線２を覆うワイヤカバー３（図１〜図４）と、コンタクト１１を保持するハウジング５（図１、図３）と、ハウジング５に配置され複数の電線２の各々の周りを一括して止水するゴム製の一括電線シール（図示しない）と、倍力機構であるレバー６（図１、図２（ａ））とを備えている。
ワイヤカバー３、ハウジング５およびレバー６はいずれも、絶縁性の樹脂材料を用いて射出成形により形成されている。
【００２１】
コネクタ１は、各電線２の周りを一括して止水する一括電線シールの他にも、他のシール部材、例えば、ハウジング５と相手コネクタのハウジングとの間を止水するシール部材を備えている。コネクタ１は、防水コネクタとして構成されている。
【００２２】
図３に示すように、ハウジング５の後端面５１からは、多数の電線２が引き出されている。それらの電線２は、後端面５１に設定されている平面視で矩形状の領域に亘り配置されている。図３に示された電線２の背面側にも、図示しない電線が配置されている。
ハウジング５の後端部には、電線２に個別に対応する電線挿通孔５２が形成されている。電線挿通孔５２は、ハウジング５を挿抜方向Ｄ１に沿って貫通している。電線挿通孔５２は、一括電線シールの貫通孔およびハウジング５の貫通孔と共に、コンタクト１１および電線２が挿入されるキャビティを構成している。一括電線シールの貫通孔の内周のシール部が電線２の外周部に密着する。
【００２３】
電線２は、具体的な図示を省略するが、金属材料から形成された心線と、心線を被覆するシースとを含んで構成されている。シースは絶縁性の樹脂材料から形成されている。これら心線およびシースの全体として、電線２は可撓性を有している。
【００２４】
図１に示す位置まで軸３０１を中心にレバー６を時計回り（図１の曲線の矢印Ｒ参照）に回動させると、ハウジング５間をコネクタ１の長さ方向Ｄ２（図２参照）に沿って移動するスライダ６５を介して相手コネクタが挿抜方向Ｄ１に沿って引き込まれることで、コネクタ１と相手コネクタとが嵌合する。長さ方向Ｄ２は挿抜方向Ｄ１と直交する。
軸３０１は、ワイヤカバー３のカバー部３０の側壁の両側からそれぞれ突出している。それらの軸３０１にレバー６が軸支されている。このレバー６のピニオンギア６１がスライダ６５の図示しないラックと噛み合い、スライダ６５の図示しないカム溝に、相手コネクタのカム突起が係合する。
【００２５】
本実施形態は、主としてワイヤカバー３（図１〜図４）の構成に特徴を有する。
ワイヤカバー３は、複数の電線２（図３に二点鎖線で示す）を覆うカバー部３０と、複数の電線２を結束して電線束２０をなす結束部３５とを備えている。
結束部３５は、カバー部３０における長さ方向Ｄ２の一端側（Ｄ２ａ）に位置している。
【００２６】
カバー部３０は、結束部３５を有して複数の電線２を覆うカバー本体３１と、カバー本体３１の側方に位置する開口３１Ａ（図４）を塞ぐ蓋３２とを備えている。
カバー本体３１および蓋３２は、図４に示すように、別体に構成されている。
カバー部３０の側壁には、レバー６（図１）を操作開始位置に係止する係止突起３０２が形成されている。
【００２７】
カバー本体３１に蓋３２が取り付けられることで、カバー本体３１のみにより電線２が覆われている場合と比べて、外部からワイヤカバー３の内部に水が浸入することをより十分に防ぐことができる。蓋３２により、ワイヤカバー３の内側の電線２への水の接触を十分に防止できることで、コネクタ１の防水性能の向上に寄与できる。コネクタ１は、激しい水ハネ等が想定される車載の機器へも適用することができる。
【００２８】
カバー本体３１は、図３に示すように、ハウジング５から延びる複数の電線２を内側に収容しつつ、それらの電線２を一方向に引き揃えて結束部３５により結束する。結束部３５および電線２には結束用のバンド３７（図２（ｂ））が装着される。各電線２は、上述した一括電線シールにより拘束されるとともに、結束部３５およびバンド３７により拘束される。
【００２９】
電線２を上方からカバー本体３１により覆う必要上、カバー本体３１の下端側と、長さ方向Ｄ２の一端側（Ｄ２ａ）とは開口している。長さ方向Ｄ２の一端側に位置するカバー本体３１の開口３１Ａ（図４）は蓋３２により塞がれる。
【００３０】
カバー本体３１は、複数の電線２を収容するのに足りる内部空間３１Ｓ（図３）を内包している。カバー本体３１は、概ね、下方に開口したＵ字状の断面を呈する。カバー本体３１により、ハウジング５の後端面５１（図３）の全域が覆われる。
【００３１】
カバー本体３１の幅方向Ｄ３両側の側壁には、レバー６を軸支する軸３０１（図４、図１）が設けられている。また、カバー本体３１の下端部には、ハウジング５の被係合部と係合する複数の係合部（３１１，３１２等）が形成されている。複数の係合部のうち２つの３１１，３１２のみを図４に示している。係合部３１１は、図１に示すようにハウジング５の側壁５３の被係合部５０１（孔）に挿入される。
【００３２】
結束部３５は、図１および図４に示すように、略半円筒状に形成されている。
図２（ｂ）に示すように、結束部３５は、挿抜方向Ｄ１に対して傾斜するように、カバー本体３１（図２（ａ））から斜め上方に向けて突出している。
結束部３５の軸線方向に沿って、電線２の配索方向Ｄ４が設定されている。電線２が結束部３５から引き出される方向のことを電線２の配索方向と言うものとする。
【００３３】
図５に示すように、結束部３５の内周部３５Ａは、電線束２０の円形の断面形状に倣って、電線束２０と同等の径の円弧状に形成されている。電線束２０の径は、電線２の種類、電線２の径、および電線束２０を構成する電線２の本数等に基づいて設定することができる。
図５に一点鎖線で示す円Ｃは、電線２と接触する結束部３５の内周部３５Ａの形状を含む仮想の円形に相当し、電線束２０の設計上の外形にも相当する。円Ｃの直径は電線束２０の直径に相当する。
【００３４】
結束部３５は、図５に示すように、円Ｃの円周の約半分に亘り電線束２０を支持する。結束部３５の内側に収められた電線束２０の外周部の一部は、結束部３５の外側へと露出する。この結束部３５と、結束部３５から露出した電線束２０とに亘り、結束用のバンド３７（図２（ｂ））が装着される。結束部３５の外周部には、図３および図１に示すように、バンド３７を収容する溝３５１が周方向に連続して形成されている。
【００３５】
図３に示すように、ワイヤカバー３により覆われた複数の電線２は、ハウジング５の電線挿通孔５２と結束部３５との間で、湾曲した状態に撓んでいる。
ここで、電線挿通孔５２から結束部３５の内側までの距離が、複数の電線２のそれぞれについて相違する。
【００３６】
本実施形態の結束部３５は、カバー部３０の長さ方向Ｄ２の一端側Ｄ２ａに位置している。そのため、配列された電線挿通孔５２からそれぞれ引き出された電線２の大多数は、カバー部３０の内側で転向して湾曲した状態に撓み、結束部３５に向けて延出する。特に、引き出された電線挿通孔５２が結束部３５から長さ方向Ｄ２に遠く離れている電線２２は、それよりも結束部３５に近い電線挿通孔５２から引き出された電線２よりも外周側を通るため、大きく撓んでいる。
一方、引き出された電線挿通孔５２が結束部３５に近いため、その電線挿通孔５２から結束部３５の内側までの距離が他の電線２についての同様の距離よりも短い電線２１もまた、カバー部３０の内部に備えられた干渉突起３６と干渉することで、撓んでいる。撓んだ電線２１は、電線束２０の一端側Ｄ２ａへと延びている。
【００３７】
以上より、電線２１も含め、ハウジング５の各電線挿通孔５２から結束部３５の内側へと延びる電線２のいずれも撓んでいる。
電線２１は、必ずしも特定の１本の電線２には限らない。電線２１は、電線挿通孔５２から結束部３５の内側までの距離が電線束２０の中で最短である特定の電線２に加え、その電線２に長さ方向Ｄ２あるいは幅方向Ｄ３において隣接する電線２を含んでいてもよい。その場合、電線２１は複数の電線２を代表する。
【００３８】
本実施形態は、カバー部３０の内部に、電線２に干渉する干渉突起３６が備えられていることを主な特徴としている。この干渉突起３６は、本実施形態では蓋３２に備えられている。
【００３９】
蓋３２は、図４に示すように、板状の基部３２０と、基部３２０から内側に突出した干渉突起３６と、基部３２０の端部からいずれも長さ方向Ｄ２に突出した複数の係合梁（３２３，３２４，３２５等）とを備えている。基部３２０、干渉突起３６、および係合梁３２３，３２４，３２５等は一体に形成されている。
【００４０】
基部３２０は、カバー本体３１の幅方向Ｄ３両側の側壁３１３，３１４間に、挿抜方向Ｄ１に沿って起立した姿勢で配置される。基部３２０の下端部３２１Ａは、図１に示すように、ハウジング５の表面に配置される。
基部３２０の内側には、剛性確保のため複数の突条３２１Ｂが挿抜方向Ｄ１に沿って形成されている。
【００４１】
基部３２０の上端縁３２１Ｃは、結束部３５の周方向の両端を結ぶ方向と平行に形成されている。結束部３５の軸線方向が傾斜しているため、上端縁３２１Ｃも挿抜方向Ｄ１に対して傾斜している。この上端縁３２１Ｃから露出した電線束２０と結束部３５とにバンド３７が装着される。
【００４２】
基部３２０の外側の面３２１Ｄ（図３）は、挿抜方向Ｄ１に沿ってほぼ平坦に形成されている。基部３２０の下端部がハウジング５の表面に配置されるため、図３に示すように、外側の面３２１Ｄは、長さ方向Ｄ２において、ハウジング５の外周部から若干突出する。
【００４３】
蓋３２に備わる複数の係合梁（図４）は、基部３２０の下端部３２１Ａに設けられる一対の下部係合梁（図４に３２５のみを図示）と、それら下部係合梁よりも上方の位置で基部３２０に設けられる一対の上部係合梁３２３，３２４とからなる。
これらの下部係合梁（３２５等）と上部係合梁３２３，３２４のいずれも、幅方向Ｄ３に間隔をおいて基部３２０に形成されている。一対の下部係合梁（３２５等）間の寸法は、上部係合梁３２３，３２４間の寸法よりも広い。
【００４４】
下部係合梁３２５は、カバー本体３１（図４）の側壁３１３の下端部に形成された被係合部３１３Ａに係合される。他方の下部係合梁も、反対側の側壁３１４の下端部に形成された図示しない同様の被係合部に係合される。
上部係合梁３２３は、カバー本体３１の側壁３１３に形成された被係合部３１３Ｂに係合される。上部係合梁３２４も同様である。
【００４５】
干渉突起３６は、図３に示すように、結束部３５の直下に位置する電線挿通孔５２と、結束部３５との間において結束部３５の近傍に位置している。
より具体的に、干渉突起３６は、基部３２０の上端部の内側の所定範囲に亘り、基部３２０の面外方向に突出している。
干渉突起３６は、基部３２０の上端縁３２１Ｃに沿って所定の長さで延びている。干渉突起３６は、上端縁３２１Ｃから基部３２０の内側に連続し、電線束２０に向けて次第に突出している。干渉突起３６の少なくとも先端部３６１は、滑らかな曲面状に形成されている。蓋３２の成形上、干渉突起３６は、図３に示すように中空であり、断面略Ｃ字状に形成されている。
【００４６】
そして、図５に示すように結束部３５を矢印Ｖ（図２（ｂ））の方向から見ると、電線束２０の外形に相当する仮想の円Ｃの領域内の一端側Ｄ２ａに、干渉突起３６の先端部３６１等の一部が含まれる。換言すれば、円Ｃを投影した範囲内の一端側Ｄ２ａに、干渉突起３６の先端部３６１等の一部が含まれる。結束部３５から露出した電線束２０の一端側Ｄ２ａには、上述したように、電線挿通孔５２から結束部３５の内側までの距離が短い電線２１（図３）が位置する。その電線２１に干渉突起３６の先端部３６１が干渉することで、例えば図３に示すように、電線２１が湾曲した状態に撓む。
【００４７】
電線２の位置のばらつきも考慮し、電線２１が基部３２０から最も離れた位置を通る場合であっても、干渉突起３６の先端部３６１により電線２１を撓ませるために必要な長さ、幅、および突出寸法に干渉突起３６が形成されることが好ましい。
【００４８】
仮に干渉突起３６が存在しないとすれば、電線２１は、電線挿通孔５２から結束部３５の内側に至るまで直線的に延び、殆ど撓まない。そうすると、配線作業や車両の振動により加えられた外力による電線２１が引っ張られる向きへの変位を、直線的に延びた短い区間の電線２１の変位や伸びでは吸収しきれないため電線２１が引っ張られたり振れたりしてしまい、心線の断線等の懸念がある。
本実施形態によれば、干渉突起３６により電線２１が撓んでいるため、ワイヤカバー３の内側の拘束されていない電線２１の区間の長さが干渉突起３６のない場合と比べて長い。そうすると、拘束されていない区間の電線２１の可動域や、当該区間の電線２１に許容される伸びが増加する。そのため、電線２１の変位により、電線２１の引っ張られる向きへの変位を吸収でき、電線２１の振れも抑止することができる。
【００４９】
以上で説明したコネクタ１を組み立てる際は、シール部材、ハウジング５、およびスライダ６５を組み付けることでハウジングのアセンブリを得るとともに、レバー６の軸孔６２（図１）にカバー本体３１の軸３０１を挿入することで、カバー本体３１とレバー６とを組み付ける。
上記のハウジングアセンブリにおいてハウジング５およびシール部材に連続して形成された複数のキャビティにそれぞれ、コンタクト１１およびコンタクト１１に接続された電線２を挿入すると、ハウジング５に形成されている電線挿通孔５２から後方へと電線２が引き出される。
【００５０】
そして、ハウジング５の各電線挿通孔５２から延びている電線２をカバー本体３１の内側に収容しつつ、カバー本体３１の長さ方向Ｄ２の端部に位置する係合部３１２をハウジング５の被係合部（図示しない）に係合させた状態で、カバー本体３１をハウジング５に向けて押し下げる。すると、カバー本体３１の長さ方向Ｄ２の一端側Ｄ２ａに位置する係合部３１１がハウジング５の被係合部（孔）５０１（図１）に入り込んで側壁５３に係止される。
【００５１】
次いで、カバー本体３１の一端部に、蓋３２の複数の係合梁３２３，３２４，３２５等を係止させることで、カバー本体３１と蓋３２とを一体化させる。
カバー本体３１に蓋３２が取り付けられると、蓋３２の内側の干渉突起３６が電線２１に干渉するため、電線２１が湾曲した状態に撓む。撓んでいる分、電線２１の電線挿通孔５２から結束部３５の内側までの直線距離に対して、電線挿通孔５２から結束部３５の内側まで電線２１が延びている長さが長くなる。
その後、結束部３５から引き出される複数の電線２と結束部３５とにバンド３７を装着すると、コネクタ１の組み立てが完了する。
【００５２】
レバー６を図１に示すロック位置まで図１の時計回りに回動させると、スライダ６５を介して図示しない相手コネクタがコネクタ１に向けて引き込まれるので、電線２の接続されている雌コンタクトに相手コネクタの雄コンタクトが挿入される。
【００５３】
本実施形態によれば、干渉突起３６を備えていることにより、電線挿通孔５２の位置によらず、電線束２０をなす全ての電線２がワイヤカバー３の内側で撓んでいる。そのため、ワイヤカバー３の内側の拘束されていない区間の各電線２の変位により電線２の引っ張られる向きへの変位を吸収でき、電線２の振れも抑止することができる。したがって、振動時や配線作業時に各電線２に過大な応力が掛かることを避けて、断線を防ぐことができる。
【００５４】
加えて、本実施形態では、結束部３５の近傍に位置している干渉突起３６により、電線挿通孔５２から離れた位置で電線２１を撓ませているため、電線挿通孔５２の付近では電線２１は直線的に延びている。そのため、干渉突起３６により電線２１を撓ませるにあたり電線挿通孔５２の開口の縁に電線２１が押し付けられることを避けることができる。
また、干渉突起３６の電線２に接触する部分は曲面状に形成されているため、干渉突起３６により電線２に与える負荷が小さい。
【００５５】
さらに、干渉突起３６がワイヤカバー３の蓋３２に備えられているため、カバー本体３１に蓋３２を取り付けると、電線２への水の付着を抑える効果に加えて、電線２の断線を防止する効果をも得ることができる。つまり、蓋３２とは別に、電線２に干渉する部材をカバー本体３１に付加する場合と比べて部品点数やサイズを抑えつつ、防水機能の向上と断線防止による信頼性向上とを実現することができる。
【００５６】
ところで、図６に示すように、電線の配索方向Ｄ４がワイヤカバー８の真横に設定されていると、ハウジング７の外形に対して結束部８Ａがハウジング７の径方向外側に位置している。
それに対して、本実施形態のように配索方向Ｄ４が斜め上方に設定されていると、結束部３５の内周部３５Ａに関する円Ｃ（図５）をハウジング５へと投影したときの範囲の大部分が、ハウジング５の外形（コネクタ１の外形）の範囲内に収まる。そのため、本実施形態の配索方向Ｄ４によれば、ワイヤカバー３を含めたコネクタ１全体の小型化を図ることができるので、図６に示すコネクタと比べて狭い設置スペースにも適用することができる。
【００５７】
本実施形態の結束部３５の向きを変え、挿抜方向Ｄ１と平行に、つまり真上に電線２が引き出されるように電線２の配索方向を設定することもできる。そうすると、結束部３５に関する円Ｃを投影した範囲の全体がコネクタ１の外形の範囲内に収まるので、ワイヤカバー３が、コネクタ１の長さ方向Ｄ２および幅方向Ｄ３のサイズに影響を与えない。電線２の配索方向Ｄ４は、設置スペースの広さや、配線上の要求に応じて、適宜に定めることができる。
上記のように電線２の配索方向が挿抜方向Ｄ１と平行に設定されている場合にも、干渉突起３６により電線２１を撓ませることで断線を抑止することができる。つまり、干渉突起３６により、配索方向Ｄ４の自由度が向上する。
【００５８】
電線２の配索方向Ｄ４、電線挿通孔５２が配置されている領域の形状や寸法、電線束２０の径、およびカバー部３０における結束部３５の位置等に応じて、引き出された電線挿通孔５２から結束部３５の内側までの距離が最も短い電線２１が、電線束２０をなす複数の電線２の中から決まる。その電線２１と干渉させる干渉突起３６をカバー部３０の内側の適宜な箇所に設けることができる。また、引き出された電線挿通孔５２から結束部３５の内側までの距離が最短ではないものの、当該距離が他の電線２の場合よりも短いため、断線し易い電線２と干渉させるための干渉突起も、カバー部３０の内側の他の箇所に設けることができる。
上記実施形態のワイヤカバー３は、蓋３２に干渉突起３６を備えているが、必要な干渉突起をカバー本体３１の内側に備えることもできる。なお、必要な干渉突起３６の位置によっては、ワイヤカバー３のカバー部３０に蓋３２は必ずしも必要ではない。
【００５９】
上記以外にも、本発明の主旨を逸脱しない限り、上記実施形態で挙げた構成を取捨選択したり、他の構成に適宜変更したりすることが可能である。
本発明のコネクタは、レバー６やスライダ等の倍力機構を備えていなくてもよい。また、本発明のコネクタが、一括電線シールを備えた防水コネクタである必要はない。
【符号の説明】
【００６０】
１        コネクタ
２        電線
２１       電線（短電線）
２２       電線
３        ワイヤカバー
５        ハウジング（保持ハウジング）
６        レバー
１１      コンタクト
２０      電線束
３０      カバー部
３１      カバー本体
３１Ａ    開口
３１Ｓ    内部空間
３２      蓋
３５      結束部
３５Ａ    内周部
３６      干渉突起
３７      バンド
５１      後端面
５２      電線挿通孔（引出し位置）
５３      側壁
６１      ピニオンギア
６２      軸孔
６５      スライダ
３０１    軸
３０２    係止突起
３１１，３１２      係合部
３１３，３１４      側壁
３１３Ａ，３１３Ｂ  被係合部
３２０    基部
３２１Ａ  下端部
３２１Ｂ  突条
３２１Ｃ  上端縁
３２１Ｄ  外側の面
３２３，３２４      上部係合梁
３２５    下部係合梁
３５１    溝
３６１    先端部
５０１    被係合部
Ｃ        円
Ｄ１      挿抜方向
Ｄ２      長さ方向
Ｄ２ａ    一端側
Ｄ３      幅方向
Ｄ４      配索方向
【図１】
2018190638.tif 000003
【図２】
2018190638.tif 000004
【図３】
2018190638.tif 000005
【図４】
2018190638.tif 000006
【図５】
2018190638.tif 000007
【図６】
2018190638.tif 000008